(57)【特許請求の範囲】
【請求項１】
浴室と脱衣室の間に設置される浴室建具枠の下枠部分と、
前記浴室の床とこれよりも高く位置する前記下枠部分との間に設置されるスロープ部材と、
前記浴室の床の端縁部に形成された凹段部とを備え、
前記スロープ部材は、
前記下枠部分から前記浴室の床に向けて下り傾斜した上面を有するスロープ本体と、
前記スロープ本体から下方に突出する挿入体とを備え、
前記凹段部と前記下枠部分との間に、上方に開口した空間が形成され、この空間に前記挿入体が挿入される
ことを特徴とする浴室建具枠のスロープ構造。
【請求項２】
前記挿入体は、側方にむけてヒレ状に突出する複数の突出部を有する
ことを特徴とする請求項１に記載の浴室建具枠のスロープ構造。
【発明の詳細な説明】
【技術分野】
【０００１】
本発明は、浴室建具枠のスロープ構造に関し、詳しくは、浴室の床と浴室建具枠との間にスロープ部材を配置した浴室建具枠のスロープ構造に関する。
【背景技術】
【０００２】
特許文献１には、浴室と脱衣室の間に位置する浴室建具枠が、記載されている。
【０００３】
この浴室建具枠においては、浴室と脱衣室の床面に対して、浴室建具枠の下枠部分が突出する量を抑えることで、浴室から脱衣室に至るまでの全体を、ほぼフラットに設けている。
【先行技術文献】
【特許文献】
【０００４】
【特許文献１】特開２００４−２５７１８３号公報
【発明の概要】
【発明が解決しようとする課題】
【０００５】
しかし、上記した従来の浴室建具枠の下枠部分と、浴室の床面との間には、僅かに段差が存在する。使用者によっては、この僅かな段差であっても足が引っ掛かる場合がある。
【０００６】
本発明は、浴室に出入りする際に足が引っ掛かることを、より効果的に抑えることのできる浴室建具枠のスロープ構造を提供することを、目的とする。
【課題を解決するための手段】
【０００７】
本発明に係る形態の浴室建具枠のスロープ構造は、浴室と脱衣室の間に設置される浴室建具枠の下枠部分と、前記浴室の床とこれよりも高く位置する前記下枠部分との間に設置されるスロープ部材と、前記浴室の床の端縁部に形成された凹段部とを備える。
【０００８】
前記スロープ部材は、前記下枠部分から前記浴室の床に向けて下り傾斜した上面を有するスロープ本体と、前記スロープ本体から下方に突出し、前記凹段部に挿入される挿入体とを備える。
【発明の効果】
【０００９】
本発明の浴室建具枠のスロープ構造は、浴室に出入りする際に足が引っ掛かることを、より効果的に抑えることができるという効果を奏する。
【図面の簡単な説明】
【００１０】
【図１】図１Ａは、一実施形態の浴室建具枠に設置された浴室戸の全閉状態を示す正面図であり、図１Ｂは、一実施形態の浴室建具枠に設置された浴室戸の全開状態を示す正面図である。
【図２】図１ＢのＩ−Ｉ線断面図である。
【図３】図２のＰ部拡大図である。
【図４】一実施形態の浴室建具枠の下枠部分を示す斜視図である。
【発明を実施するための形態】
【００１１】
一実施形態の浴室建具枠のスロープ構造について、添付図面に基づいて説明する。
【００１２】
本実施形態の浴室建具枠のスロープ構造は、浴室８と脱衣室９の間に設置される浴室建具枠７に、スロープ部材３を組み合わせて形成される。
【００１３】
まず、浴室建具枠７について説明する。
【００１４】
図１Ａ、図１Ｂ及び図２に示すように、本実施形態の浴室建具枠７は、浴室８と脱衣室９の間に設置され、浴室戸６がスライド自在に取り付けられる。
【００１５】
浴室戸６は、三枚の引戸６１を備えた三連引戸である。三枚の引戸６１は、浴室建具枠７に固定される一枚の引戸６１ａと、互いに連動して開閉動作（スライド移動）を行う二枚の引戸６１ｂ，６１ｃとで構成される。なお、浴室建具枠７に取り付けられる浴室戸６は、三連引戸に限定されず、片引戸形式等の他の形式でもよい。
【００１６】
図１Ａには、浴室戸６の全閉状態を示している。図１Ｂには、浴室戸６の全開状態を示している。浴室戸６の全開状態において、三枚の引戸６１ａ，６１ｂ，６１ｃは互いに重なる位置にある。
【００１７】
浴室建具枠７の下枠部分７ａは、アルミニウム製の下枠体１とレール部材２を用いて、浴室８の床８１と脱衣室９の床９１に対してｄ１程度の高さを有するように形成される（図２参照）。ｄ１は、本実施形態では３ｍｍに設定されるが、たとえば２〜４ｍｍの範囲内で適宜に設定可能である。下枠体１は、浴室８の床８１と脱衣室９の床９１との間を繋ぐように固定され、レール部材２は、下枠体１によって上方に支持される。
【００１８】
本文中では、浴室建具枠７を基準として浴室８に近い側を「前側」と称し、脱衣室９に近い側を「後側」と称する。平面視において浴室８と脱衣室９の並ぶ方向が「前後方向」であり、この前後方向と直交する方向が「左右方向」である。
【００１９】
図２と図３に基づいて、下枠体１の構造について説明する。
【００２０】
下枠体１は、底壁１０と、底壁１０から前側に延設される第一壁部１１と、底壁１０から後側に延設される第二壁部１２と、第二壁部１２からさらに後側に延設される固着片１３とを備える。
【００２１】
第一壁部１１は、前側の端部１１１が最も高く、後側の端部１１２が最も低くなるように形成され、両端部１１１，１１２の間には、段部１１３が形成される。
【００２２】
第二壁部１２は、前側の端部１２１が最も低く、後側の端部１２２が最も高くなるように、全体として階段状に形成されている。第二壁部１２は、前後方向に並んだ複数の段部１２３を備える。複数の段部１２３は、最も前側の段部１２３１と、最も後側の段部１２３２と、両段部１２３１，１２３２の間に位置する中央の段部１２３３とを含む。
【００２３】
最も前側の段部１２３１は、底壁１０の後側の端部から立ち上がる段部である。段部１２３１からは、後側に向けて傾斜部分１２４が連続する。傾斜部分１２４は、後側ほど高く位置するように全体が傾斜した部分である。傾斜部分１２４の一部からは、上方に向けて支持壁１２５が突出している。
【００２４】
中央の段部１２３３は、傾斜部分１２４の後側の端部から立ち上がる段部である。段部１２３３からは、後側に向けて略平坦な部分１２６が連続する。この部分１２６は、後側ほど高く位置するように全体が僅かに傾斜しており、この部分１２６の後側の端部から、最も後側の段部１２３２が立ち上がる。最も後側の段部１２３２の頂部が、第二壁部１２の後側の端部１２２である。
【００２５】
固着片１３は、第二壁部１２の後側の端部１２２から、後方に延設される。固着片１３は、ネジ具９５を用いて脱衣室９の床面９１１に固着される部分である。床面９１１は、床９１の上面である。
【００２６】
固着片１３は、平坦な薄板状の本体部１３０と、本体部１３０の後側の端縁部から上方に突出する第一リブ１３１と、本体部１３０の前側の端縁部から上方に突出する第二リブ１３２とを、一体に備える。第一リブ１３１と第二リブ１３２は互いに平行であり、互いの突出高さは同一である。本文中で用いる「同一」は、厳密に同一であることに限定されず、略同一の場合も含む。
【００２７】
本体部１３０は、平坦な下面１３０１を有する。本体部１３０が床面９１１に置かれた状態で、下面１３０１はその全面に亘って床面９１１に当接する。
【００２８】
脱衣室９の床９１には、本体部１３０を介して、上方からネジ具９５が打ち込まれる。ネジ具９５は、ネジ本体９５０と頭部９５１を有する。本体部１３０には孔１３０２が形成され、ネジ本体９５０は孔１３０２を上下に貫通する。
【００２９】
ネジ具９５の頭部９５１は、本体部１３０の上面に当接した状態で、第一リブ１３１と第二リブ１３２の間に位置する。頭部９５１の高さは、第一リブ１３１と第二リブ１３２の突出高さと同一である。
【００３０】
レール部材２は、下枠体１に対して上方から覆い被さるように配置される。レール部材２は、平板状の本体部２０と、本体部２０から上方に突出する三本のレール２１と、本体部２０を上下方向に貫通する複数の排水孔２２とを備える。
【００３１】
三本のレール２１は、前後方向に距離をあけて位置し、互いに平行である。三本のレール２１は、三枚の引戸６１を、一対一で左右方向にガイドできるように形成されている。複数の排水孔２２は、隣接するレール２１間の適宜箇所に設けられる。
【００３２】
さらにレール部材２は、本体部２０の前側の端部２０１から下方に突出する前側の支持脚２３と、本体部２０の後側の端部２０２から下方に突出する後側の支持脚２４と、本体部２０の下面の一部を凹ませた凹み部２５とを備える。
【００３３】
本体部２０の前側の端部２０１は、下枠体１の第一壁部１１の前側の端部１１１に対して、前後方向に当接して位置する。前側の支持脚２３は、下端部が後側に向けて曲がった形状を有し、この下端部が、第一壁部１１に形成される段部１１３の上面に、載せられる。
【００３４】
後側の支持脚２４は、下端部が前側に向けて曲がった形状を有する。この下端部が、第二壁部１２に形成される傾斜部分１２４の後側の端縁部（中央の段部１２３３に近接した端縁部）の上面に、載せられる。
【００３５】
凹み部２５は、前側の支持脚２３と後側の支持脚２４の間に位置する。凹み部２５には、下枠体１から突出する支持壁１２５の上端部が当接する。
【００３６】
上述したように、レール部材２は、本体部２０が下枠体１の支持壁１２５によって支持され、前側の支持脚２３が第一壁部１１上に載り、後側の支持脚２４が第二壁部１２上に載った状態で、下枠体１によって支持される。この状態で、下枠体１とレール部材２の間に排水空間Ｓ１が形成され、レール部材２の後側には、レール部材２の本体部２０よりも下方に凹むように排水溝５が形成される。
【００３７】
排水空間Ｓ１は、上方に開口した下枠体１の一部を、レール部材２の本体部２０、前側の支持脚２３及び後側の支持脚２４で塞ぐことによって、形成された空間である。排水空間Ｓ１には、排水管４が接続される。排水空間Ｓ１に流れ込んだ湯水は、排水管４を通じて排水される。
【００３８】
排水溝５は、レール部材２が備える後側の支持脚２４と、下枠体１が備える第二壁部１２の略平坦な部分１２６と、最も後側の段部１２３２とが組み合わさることで、上方に開口した細長い溝型に形成される。
【００３９】
具体的には、第二壁部１２に含まれる略平坦な部分１２６で、排水溝５の底壁が構成される。レール部材２の後側の支持脚２４の上側半部で、排水溝５の一方の側壁が構成され、第二壁部１２の最も後側の段部１２３２の立ち上がり部分で、排水溝５の他方の側壁が構成される。
【００４０】
後側の支持脚２４の下側半部は、中央の段部１２３３の前側に僅かな隙間をあけて位置する。この隙間が、排水溝５と排水空間Ｓ１を連通させる通水路５１を構成する。
【００４１】
本実施形態の浴室建具枠７では、上記の下枠体１とレール部材２を用いて下枠部分７ａが形成されるので、湯水がレール部材２を超えて脱衣室９にまで浸入することが、効果的に抑えられる。
【００４２】
つまり、本実施形態の浴室建具枠７では、浴室８側からの湯水がレール部材２上に浸入すると、レール部材２に貫通形成した複数の排水孔２２を通じて、下方の排水空間Ｓ１に流れ落ちる。仮に、湯水がレール部材２を超えて浸入した場合には、その湯水は、排水溝５に流れ込んだ後に、通水路５１を通じて前斜め下方の排水空間Ｓ１に流れ落ちる。したがって、堰となるパッキンをレール部材２に別途設けることなく、湯水が脱衣室９にまで浸入することが効果的に抑えられる。
【００４３】
次に、スロープ部材３について説明する。
【００４４】
スロープ部材３は、傾いた上面３１１を有するスロープ本体３１と、スロープ本体３１から下方に突出する挿入体３２とを、樹脂を用いて一体に成形した部材である。上面３１１は、浴室建具枠７の下枠部分７ａの上面と、浴室８の床面８１１の間の段差を解消するように、前側に下り傾斜した勾配を有する。床面８１１は、浴室８の床８１の上面である。
【００４５】
挿入体３２は、浴室の床８１に形成された凹段部８２に対して、上方から挿入される。凹段部８２は、床８１の後側の端縁部に、下方に凹むように形成された段部であり、凹段部８２と下枠部分７ａとの間に、上方に開口したスリット状の空間が形成される。この微小な空間に挿入体３２が挿入され、かつ、シリコンが充填される。シリコンは充填後に硬化される。
【００４６】
挿入体３２は、側方（前後方向）にむけてヒレ状に突出する複数の突出部３２１を、一体に備える（図３参照）。
【００４７】
つまり、本実施形態のスロープ部材３は、スロープ本体３１、挿入体３２及び複数の突出部３２１を、樹脂を用いて一体に成形した部材である。複数の突出部３２１は、それぞれ先端が斜め上方を向くように突出し、挿入体３２の抜け止めの機能を果たす。
【００４８】
このように、本実施形態では、浴室８の床８１に凹段部８２を形成しておき、この凹段部８２に挿入体３２を挿入することによって、微小な段差を解消する小さなスロープ本体３１が、安定的に設置される。スロープ本体３１が位置することで、浴室８の床８１と下枠部分７ａとの間の僅かな段差（３ｍｍ程度の段差）を解消することができ、使用者の足が引っ掛かるという事態が抑えられ、意匠性も高められる。
【００４９】
以上、添付図面に基づいて説明したように、本実施形態の浴室建具枠のスロープ構造は、浴室建具枠７の下枠部分７ａと、スロープ部材３と、凹段部８２とを備える。浴室建具枠７の下枠部分７ａは、浴室８と脱衣室９の間に設置される。スロープ部材３は、浴室８の床８１と、これよりも高く位置する下枠部分７ａとの間に、設置される。凹段部８２は、浴室８の床８１の端縁部に形成される。
【００５０】
スロープ部材３は、下枠部分７ａから浴室８の床８１に向けて下り傾斜した上面３１１を有するスロープ本体３１と、スロープ本体３１から下方に突出し、凹段部８２に挿入される挿入体３２とを備える。
【００５１】
本実施形態の浴室建具枠のスロープ構造では、浴室８の床８１に凹段部８２を形成し、この凹段部８２を利用して小型のスロープ部材３を設置するので、３ｍｍ程度の僅かな段差であっても、スロープ部材３を用いて解消することが可能となる。そのため、使用者が浴室８の出入りの際に足を引っ掛けるという事態が、より効果的に抑制される。
【００５２】
以上、実施形態について説明したが、浴室建具枠のスロープ構造は前記した実施形態に限定されず、適宜の設計変更を行うことが可能である。
【符号の説明】
【００５３】
３      スロープ部材
３１    スロープ本体
３１１  上面
３２    挿入体
７      浴室建具枠
７ａ    下枠部分
８      浴室
８１    浴室の床
８２    凹段部
９      脱衣室
【図１】
0006601760.tif 000002
【図２】
0006601760.tif 000003
【図３】
0006601760.tif 000004
【図４】
0006601760.tif 000005